(57)【要約】【課題】  電話の呼び出しがあってユーザが番組視聴中にテレビから離れなければならなくなったときでも、戻ってきたときに中断した位置を簡単に呼び出してそこから番組視聴を容易に続けられるＡＶシステムおよびＡＶ装置を提供する。【解決手段】  ＶｏＩＰアダプタ１０と映像コンテンツの記録および再生を行うＤＶＤ・ＨＤＤレコーダ４０とを備えたＡＶシステム１である。そして、ＤＶＤ・ＨＤＤレコーダ４０には、ＶｏＩＰアダプタ１０からのデータ受信が可能な通信手段と、映像コンテンツの出力途中で現在の出力位置を指し示すブックマークの設定を行うブックマーク設定手段と、ブックマークの設定されている位置から映像コンテンツの再生出力を開始させるブックマーク再生手段とが設けられ、ＶｏＩＰアダプタ１０から電話の着信時に出力される着信データを受信したときに、出力中の映像コンテンツにブックマークを設定させるように構成する。【選択図】        図１
2006067026.tif 000002
【特許請求の範囲】
【請求項１】
コンピュータネットワークを介したデータ通信により発信および通話を可能とするネットワーク電話装置と、映像コンテンツの記録および再生を行うＡＶ装置とを備えたＡＶシステムにおいて、
前記ＡＶ装置は、
前記ネットワーク電話装置からのデータ受信が可能な通信手段と、
映像コンテンツの出力途中で現在の出力位置を指し示すブックマークの設定を行ってこのブックマークの設定情報を不揮発性の記録媒体に記録するブックマーク設定手段と、
ブックマークの設定されている位置から映像コンテンツの再生出力を開始させるブックマーク再生手段と、
映像コンテンツを記録しながら再生位置を変更可能な状態で再生出力する追っかけ再生手段と、
装置の全体的な制御を行う制御手段とを備え、
前記制御手段は、
電話の着信時に前記ネットワーク電話装置から出力される信号を前記通信手段を介して受信したことに基づいて、記録されている映像コンテンツを再生していた場合に当該映像コンテンツに前記ブックマーク設定手段によりブックマークを設定させる一方、
記録していない映像コンテンツの出力を行っていた場合に、出力を続けながら当該映像コンテンツの記録を開始させるとともに、この記録が開始された映像コンテンツに前記ブックマーク設定手段によりブックマークを設定させることを特徴とするＡＶシステム。
【請求項２】
コンピュータネットワークを介したデータ通信により発信および通話を可能とするネットワーク電話装置と、映像コンテンツの記録および再生を行うＡＶ装置とを備えたＡＶシステムにおいて、
前記ＡＶ装置には、
前記ネットワーク電話装置からのデータ受信が可能な通信手段と、
映像コンテンツの出力途中で現在の出力位置を指し示すブックマークの設定を行うブックマーク設定手段と、
ブックマークの設定されている位置から映像コンテンツの再生出力を開始させるブックマーク再生手段と、
装置の全体的な制御を行う制御手段とを備え、
前記制御手段は、電話の着信時に前記ネットワーク電話装置から出力される信号を前記通信手段を介して受信したことに基づいて、前記ブックマーク設定手段により出力中の映像コンテンツにブックマークを設定させるように構成されていることを特徴とするＡＶシステム。
【請求項３】
前記ブックマーク設定手段はブックマークの設定情報を不揮発性の記録媒体に格納するように構成されていることを特徴とする請求項２記載のＡＶシステム。
【請求項４】
映像コンテンツを記録しながら再生位置を変更可能な状態で再生出力する追っかけ再生手段を備え、
前記制御手段は、電話の着信時に前記ネットワーク電話装置から出力される信号を前記通信手段を介して受信したことに基づいて、記録していない映像コンテンツの出力を行っていた場合に、出力を続けながら当該映像コンテンツの記録を開始させることを特徴とする請求項２又は３に記載のＡＶシステム。
【請求項５】
外部機器とネットワークを介してデータ通信が可能な通信手段と、
映像コンテンツの出力途中で現在の出力位置を指し示すブックマークの設定を行ってこのブックマークの設定情報を不揮発性の記録媒体に格納するブックマーク設定手段と、
ブックマークの設定されている位置から映像コンテンツの再生出力を開始させるブックマーク再生手段と、
映像コンテンツを記録しながら再生位置を変更可能な状態で再生出力する追っかけ再生手段と、
装置の全体的な制御を行う制御手段とを備え、映像コンテンツの記録および再生を行うＡＶ装置であって、
前記制御手段は、
前記通信手段を介して電話の着信を示す信号を受信したことに基づいて、記録されている映像コンテンツを再生していた場合に当該映像コンテンツに前記ブックマーク設定手段によりブックマークを設定させる一方、
記録していない映像コンテンツの出力を行っていた場合に、出力を続けながら当該映像コンテンツの記録を開始させるとともに、この記録が開始された映像コンテンツに前記ブックマーク設定手段によりブックマークを設定させることを特徴とするＡＶ装置。
【発明の詳細な説明】
【技術分野】
【０００１】
この発明は、ＶｏＩＰ（Voice over Internet Protocol）のようなネットワーク電話装置とＡＶ装置とが接続されてなるＡＶシステム、並びに、ＬＡＮ等のネットワークに接続可能なＡＶ装置に関する。
【背景技術】
【０００２】
以前より、ＨＤＤ（ハードディスク）レコーダやＤＶＤレコーダ等においては、視聴中の映像コンテンツの任意の再生位置にブックマークを設定してそのブックマークの位置からすぐに再生を開始できるようにしたブックマーク機能や、予め映像コンテンツに設定された複数のチャプターの何れかからすぐに再生を開始できるようにしたチャプター機能など、幾つかの再生支援機能がある。
【０００３】
また、放送中の番組コンテンツを出力しながら記録することで、放送中の番組コンテンツを一時停止や巻き戻しなどその出力位置を変更することの可能な追っかけ再生機能も一般的である。
【０００４】
その他、電話機能を有する携帯型テレビにおいて、番組の視聴中に着信や通話操作が行われた場合に、番組の出力を停止して放送中の番組コンテンツを記録するとともに、電話の操作が終了した後に、中断した番組を中断位置から視聴しなおすことを可能とした装置も提案されている（例えば特許文献１）。
【特許文献１】特開２００３−１１１００４号公報
【発明の開示】
【発明が解決しようとする課題】
【０００５】
従来のブックマーク機能は、ユーザが手動でブックマーク設定を行うか、或いは、時間や映像の変化（シーンチェンジ）等にと基づいて自動的にブックマークが設定されるものが一般的である。従って、例えば、電話の呼び出しがあったときなど、ユーザが視聴中にテレビから離れなければならなくなった場合には、ユーザはブックマークの設定を手動で行わないとブックマーク機能を有効に利用することが出来なかった。
【０００６】
しかしながら、電話の呼び出しでユーザがテレビから離れなければならなくなった場合に、ユーザはブックマーク設定を行っている余裕がないか或いは設定のことを忘れてしまうのが通常なので、電話から戻ってきたときには中断した再生位置を巻き戻し操作で探さなければならなかった。
【０００７】
ブックマーク機能は、コンテンツの再生処理は通常どおり続けたまま、ブックマークを設定した位置を後に呼び出すのが容易となることから大変便利なものであるが、ブックマークの設定を自分自身が行うのでは、その設定自体が煩雑で視聴に集中できなくなってしまう。また、自動でブックマークを設定してくれるものでは、設定されるブックマークが必要なタイミングで行われていなかったり、必要のないブックマークが多くなって所望の再生位置を探すのに時間がかかったりと、せっかくの利便性が半減してしまう。
【０００８】
この発明は、電話の呼び出しがあってユーザが番組視聴中にテレビから離れなければならなくなったときでも、戻ってきたときに中断した位置を簡単に呼び出してそこから番組視聴を容易に続けられるＡＶシステムおよびＡＶ装置を提供することにある。
【課題を解決するための手段】
【０００９】
本発明は、上記目的を達成するため、コンピュータネットワークを介したデータ通信により発信および通話を可能とするネットワーク電話装置と、映像コンテンツの記録および再生を行うＡＶ装置とを備えたＡＶシステムにおいて、前記ＡＶ装置には、前記ネットワーク電話装置からのデータ受信が可能な通信手段と、映像コンテンツの出力途中で現在の出力位置を指し示すブックマークの設定を行うブックマーク設定手段と、ブックマークの設定されている位置から映像コンテンツの再生出力を開始させるブックマーク再生手段と、装置の全体的な制御を行う制御手段とを備え、前記制御手段は、電話の着信時に前記ネットワーク電話装置から出力される信号を前記通信手段を介して受信したことに基づいて、前記ブックマーク設定手段により出力中の映像コンテンツにブックマークを設定させる構成とした。
【００１０】
このような手段によれば、映像コンテンツを視聴しているときに電話の着信があった場合、映像コンテンツの電話着信時の辺りに自動的にブックマークが設定されるので、ユーザは電話を受けに行って戻って来た後、映像コンテンツの出力を中断した箇所に簡単に戻してその箇所から視聴を続けることが出来る。また、電話の着信はデータ通信によりＡＶ装置に通知されるため、例えば、電話の着信音を検出する方式などに比べて、電話の着信を確実に識別できて間違いがない。
【００１１】
また、電話着信時には自動的にブックマークが設定されるだけで、映像コンテンツの出力はそのまま続行されるので、他の人が電話を受ける場合など、視聴しているユーザと電話の着信とが無関係な場合には、なんらその視聴に影響を与えることがなく、通常の視聴の邪魔になることがない。
【００１２】
望ましくは、前記ブックマーク設定手段はブックマークの設定情報を不揮発性の記録媒体に格納するように構成すると良い。
【００１３】
このような手段によれば、電話の通話時間が長くなってＡＶ装置の電源が切れた場合でも、電話着信時に自動設定されたブックマークはそのまま残るので、電話着信時の箇所から容易に視聴を続けることが出来る。
【００１４】
また望ましくは、映像コンテンツを記録しながら再生位置を変更可能な状態で再生出力する追っかけ再生手段を備え、前記制御手段は、電話の着信時に前記ネットワーク電話装置から出力される信号を前記通信手段を介して受信したことに基づいて、記録していない映像コンテンツの出力を行っていた場合に、出力を続けながら当該映像コンテンツの記録を開始させるように構成すると良い。
【００１５】
このような手段によれば、録画していない現在放送中の映像コンテンツを視聴している場合であっても、電話着信時に同様にブックマークが設定されて、電話から戻ってきたときに、映像コンテンツの出力を電話着信時の箇所に戻してその箇所から視聴を続けることが出来る。
【００１６】
また、本発明のＡＶ装置は、外部機器とネットワークを介してデータ通信が可能な通信手段と、映像コンテンツの出力途中で現在の出力位置を指し示すブックマークの設定を行ってこのブックマークの設定情報を不揮発性の記録媒体に格納するブックマーク設定手段と、ブックマークの設定されている位置から映像コンテンツの再生出力を開始させるブックマーク再生手段と、映像コンテンツを記録しながら再生位置を変更可能な状態で再生出力する追っかけ再生手段と、装置の全体的な制御を行う制御手段とを備え、映像コンテンツの記録および再生を行うＡＶ装置であって、前記制御手段は、前記通信手段を介して電話の着信を示す信号を受信したことに基づいて、記録されている映像コンテンツを再生していた場合に当該映像コンテンツに前記ブックマーク設定手段によりブックマークを設定させる一方、記録していない映像コンテンツの出力を行っていた場合に、出力を続けながら当該映像コンテンツの記録を開始させるとともに、この記録が開始された映像コンテンツに前記ブックマーク設定手段によりブックマークを設定させるように構成したものである。
【００１７】
このような手段によれば、ネットワーク電話装置からデータ送信可能なようにネットワーク接続させておくことで、電話着信時に自動的にブックマークを設定させて、映像コンテンツの出力位置を簡単に電話着信時まで戻して、その箇所から容易に視聴を続けることが出来るようになる。
【発明の効果】
【００１８】
以上説明したように、本発明に従うと、電話の呼び出しがあってユーザが番組視聴中にテレビから離れなければならなくなったときでも、戻ってきたときに中断した位置を簡単に呼び出してそこから番組視聴を容易に続けることが出来るという効果がある。
【００１９】
また、他の者が電話を受ける場合など、映像コンテンツを視聴しているユーザと電話の着信が無関係な場合には、出力されている映像コンテンツには何ら影響が与えられないので、通常の視聴の妨げとなることもない。
【発明を実施するための最良の形態】
【００２０】
以下、本発明の実施の形態を図面に基づいて説明する。
【００２１】
図１には、本発明の実施の形態のＡＶシステムのシステム構成図の一例を示す。
【００２２】
この実施の形態のＡＶシステム１は、インターネットに接続するモデム機能、ＬＡＮ（ローカルエリアネットワーク）とインターネット間の通信を中継するルータ機能、並びに、インターネットを介して電話着信と通話を可能とするインターネット電話機能とを有したＶｏＩＰアダプタ１０と、一般的な電話器１２と、ウェブブラウジング等を行うパーソナルコンピュータ３０と、ＬＡＮを介してインターネット接続可能なＡＶ装置としてのＤＶＤ・ＨＤＤレコーダ４０等から構成される。
【００２３】
ＶｏＩＰアダプタ１０は、モジュラージャック１１を介してインターネットに接続するとともに、ＬＡＮポートＴ１を介してＬＡＮ側とインターネット側との間でデータの送受信を中継を行う。また、電話ポートＴ２に電話器１２が接続されて、公衆回線からの電話の着信信号や通話信号をモジュラージャック１１から電話器１２に転送するとともに、インターネットを介して転送されてきた電話の着信データや通話データをアナログ信号に変換して電話器１２に転送するようになっている。
【００２４】
また、この実施の形態のＶｏＩＰアダプタ１０は、インターネットを介した電話着信のデータが送られてきたときに、ＬＡＮポートＴ１から電話の着信を示すデータをブロードキャストするように構成されている。また、公衆回線からの電話の着信信号があったときにも、同様に電話の着信を示すデータをＬＡＮポートＴ１からブロードキャストするように構成されている。
【００２５】
パーソナルコンピュータ３０やＤＶＤ・ＨＤＤレコーダ４０は、ＬＡＮケーブルを集中接続するハブ２０を介して接続されてＬＡＮを構成するとともに、ＶｏＩＰアダプタ１０のＬＡＮポートＴ１に接続されて、インターネット間でデータ通信が可能にされている。
【００２６】
ＤＶＤ・ＨＤＤレコーダ４０のＬＡＮポートは、ＶｏＩＰアダプタ１０からブロードキャストされた電話の着信データを受信する他、例えば、インターネットを介してファームウェアのバージョンアップデータをダウンロードしたり、番組表データをダウンロードしたり、或いは、インターネットを介した電子メールを使って番組録画の設定を行ったりするのに使われる。
【００２７】
図２は、ＤＶＤ・ＨＤＤレコーダ４０の内部構成を示すブロック図である。
【００２８】
ＤＶＤ・ＨＤＤレコーダ４０は、テレビ放送を受信して映像コンテンツをケーブル接続された外付けのテレビモニタに出力したり、ＤＶＤ（デジタル多用途ディスク）やＨＤＤ（ハードディスク）に録画したり、録画した映像コンテンツを再生してテレビモニタに出力したりする装置である。
【００２９】
このＤＶＤ・ＨＤＤレコーダ４０には、録画再生時の操作や各種の設定操作を行う操作スイッチ４０１と、各種の操作キーを有するリモートコントローラ（リモコン）４０２と、リモコン４０２の送信信号を受信するリモコン受光部４０３と、記録や書換え可能なＤＶＤを搭載して映像コンテンツの記録や再生を行うＤＶＤドライブ４０４と、映像コンテンツや各種データの読書きが可能なハードディスク４０５と、実時間をカウントするタイマ４０６と、ＬＡＮに接続するＬＡＮアダプタ４０７と、装置の動作状態等を表示する小型の表示部４０８と、アンテナＮから受信した放送電波を映像信号と音声信号に選択的に復調するチューナ４０９と、チューナ４０９からの映像音声信号又は外部入力された映像音声信号をデジタル信号に変換するＡ／Ｄ変換器４１０と、デジタルの映像データや音声データを圧縮する圧縮処理部４１１ａやそれを伸張する伸張処理部４１１ｂを有する副制御部４１１と、伸張された映像データと音声データ或いはＡ／Ｄ変換器４１０から直接送られた映像データと音声データをアナログ信号に変換してテレビモニタに出力するＤ／Ａ変換器４１２と、ＣＰＵ（Central Processing Unit）４２１、ＣＰＵ４２１に作業空間を提供するＲＡＭ（Random Access Memory）４２２およびＣＰＵ４２１が実行する制御プログラムや制御データが格納されたＲＯＭ（Read Only Memory）４３３を有し装置全体の制御を行う主制御部４２０等が設けられている。
【００３０】
また、この実施の形態のＤＶＤ・ＨＤＤレコーダ４０は、ＲＯＭ４３３に格納された制御プログラムにより電話着信時に次のような処理を行って、ユーザが電話から戻ってきたときに中断箇所から番組の視聴が簡単に続けられるようになっている。
【００３１】
図３には、ＤＶＤ・ＨＤＤレコーダ４０のＣＰＵ４２１により実行される電話着信時処理のフローチャートを示す。
【００３２】
この電話着信時処理は、ＶｏＩＰアダプタ１０から電話着信時にＬＡＮ側にブロードキャストされる着信データをＤＶＤ・ＨＤＤレコーダ４０が受信したことに基づき、ＤＶＤ・ＨＤＤレコーダ４０のＣＰＵ４２１により開始される処理である。すなわち、この着信データがＬＡＮアダプタ４０７を介して受信され、主制御部４２０がそれが認識するとこの処理が開始される。
【００３３】
この処理が開始されると、先ず、ステップＳ１において、ＣＰＵ４２１は機器（ＤＶＤ・ＨＤＤレコーダ４０）の電源状態を確認する。その結果、スタンバイ状態にあればそのままこの着信時処理を終了するが、オン状態であればステップＳ２に移行する。
【００３４】
ステップＳ２では、機器の動作状態を確認し、停止状態であればそのままこの着信時処理を終了するが、停止状態でなければステップＳ３に移行する。
【００３５】
ステップＳ３では、機器の動作が記録又は再生中か確認し、ＮＯであればそのままこの着信時処理を終了するが、記録又は再生中であればステップＳ４に移行して、該ステップにおいて、記録・再生により出力されている映像コンテンツの現在の出力時点にブックマークを設定して、このブックマーク情報をハードディスク４０５に記録する。そして、この電話着信時処理を終了する。
【００３６】
ここで、ブックマーク情報は、映像コンテンツのストリームデータの繋ぎ目にフラグ情報として記録する方式や、ブックマーク管理情報として映像データとは独立したデータとして記録する方式など、種々の方式で記録することが出来る。
【００３７】
このブックマークの設定により、ユーザは、例えば、リモコンのブックマーク表示ボンタンを押して、設定されたブックマークを選択したり、或いは、ブックマークジャンプ（チャプタージャンプ）の戻るボタンを押すことで、ステップＳ４で設定されたブックマークの箇所に簡単に映像コンテンツの出力を戻らせて、そこから視聴を続けることが可能となる。
【００３８】
図４には、ＤＶＤ・ＨＤＤレコーダのＣＰＵにより実行される電話着信時処理のフローチャートの第２の例を示す。
【００３９】
この電話着信時処理の第２例は、映像コンテンツを記録しているときや記録済みの映像コンテンツを再生しているときだけではなく、現在放送中の映像コンテンツを記録や追っかけ再生を行わずに視聴していたときにも、電話着信時にブックマークを設定することを可能としたものである。
【００４０】
この第２の電話着信時処理において、ステップＳ１１〜Ｓ１３とステップＳ１６は、図３のステップＳ１〜Ｓ４と同じ処理であり説明は省略する。
【００４１】
この処理では、ステップＳ１３の確認処理で、記録又は再生中でないと判別された場合に、ステップＳ１４に移行して現在放送中の映像コンテンツをダイレクト出力しているか否かを確認する。
【００４２】
ここで、ダイレクト出力とは、ハードディスク４０５への記録や再生を行わずに、Ａ／Ｄ変換器４１０からＤ／Ａ変換器４１２へ映像データと音声データとをダイレクトに転送して映像出力を行う出力形式のことである。
【００４３】
そして、このステップＳ１４の判別の結果、ダイレクト出力でなければこのまま着信時処理を終了するが、ダイレクト出力であればステップＳ１５に移行して、映像出力を続けれたまま記録を開始する。なお、ここでの記録は、ユーザ操作により映像出力が停止・終了されたときに、ハードディスク４０５から消去される記録形式であってもよいし、或いは、ハードディスク４０５に残される記録形式であってもよい。また、一定時間（１５分や３０分など）の記録を行った後に頭の方から順次削除されていく記録方式としても良い。
【００４４】
そして、ステップＳ１５で記録を開始したら、ステップＳ１６に移行してブックマークの設定と記録を行って電話着信時処理を終了する。
【００４５】
以上のように、この実施の形態のＡＶシステム１およびＤＶＤ・ＨＤＤレコーダ４０によれば、電話の着信があったときに、視聴中の映像コンテンツに自動的にブックマークが設定されるので、ユーザは電話から戻ってきたときに、視聴していた映像コンテンツの中断箇所に簡単に戻してその箇所から視聴を続けることが出来る。
【００４６】
このとき、電話の着信はＬＡＮを介して着信データが転送されて知らされるので、例えば、電話の着信音をアナログ的に検出する方式などに比べて、電話の着信を確実に識別できて間違いがない。
【００４７】
また、電話着信時には自動的にブックマークが設定されるだけで、映像コンテンツの出力はそのまま続けられるので、他の人が電話を受ける場合など、視聴しているユーザが電話の着信と無関係な場合に、映像コンテンツの視聴の邪魔とならずに都合が良い。
【００４８】
また、ブックマークの設定情報は、ハードディスク等の不揮発性の記録媒体に記録されるので、電話の通話が長くなってＤＶＤ・ＨＤＤレコーダ４０の電源が切れた場合でも、ブックマーク情報は消えず、電話着信時の中断箇所をすぐに呼び出すことが出来る。
【００４９】
また、現在放送中の映像コンテンツを記録せずに出力していた場合にも、電話の着信により記録を開始して、同様にブックマークの処理が行われるので、電話から戻ってきたときに中断箇所から簡単に視聴を続けることが出来る。
【００５０】
なお、本発明は、上記実施の形態に限られるものではなく、様々な変更が可能である。例えば、ネットワーク電話装置としてモデム機能やルータ機能を備えたＶｏＩＰアダプタを挙げたが、ルータ機能やモデム機能を持たずにネットワークを介したデータ通信により電話着信や通話を行わせる機能のみを備えたものとしても良い。
【００５１】
また、ＡＶ機器としてＤＶＤ・ＨＤＤレコーダを例示したが、ＤＶＤドライブを持たないＨＤＤレコーダや、その他、ＨＤＤレコーダと同様の機能を実現可能なＡＶ機器であれば、種々のＡＶ機器を適用することが出来る。
【図面の簡単な説明】
【００５２】
【図１】本発明の実施の形態のＡＶシステムの一例を示すシステム構成図である。
【図２】図１のＤＶＤ・ＨＤＤレコーダの内部構成を示すブロック図である。
【図３】ＤＶＤ・ＨＤＤレコーダのＣＰＵにより実行される電話着信時処理の処理手順を示すフローチャートである。
【図４】ＤＶＤ・ＨＤＤレコーダのＣＰＵにより実行される電話着信時処理の第２の例を示すフローチャートである。
【符号の説明】
【００５３】
１        ＡＶシステム
１０      ＶｏＩＰアダプタ（ネットワーク電話装置）
１１      モジュラージャック
１２      電話
４０      ＤＶＤ・ＨＤＤレコーダ（ＡＶ装置）
４０４    ＤＶＤドライブ
４０５    ハードディスク
４０７    ＬＡＮアダプタ
４０９    チューナー
４２０    主制御部
４２１    ＣＰＵ
【図１】
2006067026.tif 000003
【図２】
2006067026.tif 000004
【図３】
2006067026.tif 000005
【図４】
2006067026.tif 000006